(57)【要約】      （修正有）【課題】避雷器の破損状態を容易に報知することができる避雷器破損報知装置を提供する。【解決手段】避雷器破損報知装置１は、電源用の避雷器であって、短絡防止用のヒューズ２１，２２を備えた避雷器においてヒューズが切れた状態である破損状態を検知するフォトカップラ１４と、検知部が避雷器における破損状態を検知した場合に、その破損状態を報知する音を出力するブザー１９とを備える。また、避雷器の側と、音出力部の側とはフォトカップラ１４で電気的に絶縁されている。【選択図】図３
0003147886.tif 000002
【実用新案登録請求の範囲】
【請求項１】
避雷器における破損状態を検知する検知部と、
前記検知部が避雷器における破損状態を検知した場合に、当該破損状態を報知する音を出力する音出力部と、を備えた避雷器破損報知装置。
【請求項２】
前記避雷器の側と、前記音出力部の側とは電気的に絶縁されている、請求項１記載の避雷器破損報知装置。
【請求項３】
前記避雷器は、短絡防止用のヒューズを備えたものであり、
前記破損状態は、前記ヒューズが切れた状態である、請求項１または請求項２記載の避雷器破損報知装置。
【請求項４】
前記検知部は、
発光素子と、受光素子とを有するフォトカプラを有しており、
前記受光素子は、前記ヒューズが切れていないときには発光し、前記ヒューズが切れているときには発光しないものであり、
前記受光素子が導通しなくなることによって、前記避雷器における破損状態を検知する、請求項３記載の避雷器破損報知装置。
【請求項５】
請求項１から請求項４のいずれか記載の避雷器破損報知装置と、
前記避雷器と、を備えた避雷器システム。
【考案の詳細な説明】
【技術分野】
【０００１】
本考案は、避雷器の破損を検出する避雷器破損報知装置等に関する。
【背景技術】
【０００２】
従来、電気機器、電子機器等において、雷害、特に誘導雷を防止するための避雷器が用いられている（例えば、特許文献１参照）。
【特許文献１】特許第３９４０４３１号公報
【考案の開示】
【考案が解決しようとする課題】
【０００３】
しかしながら、その避雷器が破損している場合には、雷害の適切な防止を行うことができないという問題があった。
【０００４】
本考案は、上記の状況を考慮してなされたものであり、避雷器の破損を容易に報知することができる避雷器破損報知装置等を提供することを目的とする。
【課題を解決するための手段】
【０００５】
本考案による避雷器破損報知装置は、避雷器における破損状態を検知する検知部と、前記検知部が避雷器における破損状態を検知した場合に、当該破損状態を報知する音を出力する音出力部と、を備えたものである。
このような構成により、避雷器が破損した場合に、そのことを音によって報知することができる。その結果、破損した避雷器を使い続ける事態を回避することができ、雷害の適切な防止を行うことができるようになる。
【０００６】
また、本考案による避雷器破損報知装置では、前記避雷器の側と、前記音出力部の側とは電気的に絶縁されていてもよい。
このような構成により、避雷器側で過電圧の吸収が行われた際にも、音出力部の側に高電圧が流れないようにすることができ、その結果、避雷器側で過電圧の吸収時に音出力部が破損しないようにすることができる。
【０００７】
また、本考案による避雷器破損報知装置では、前記避雷器は、短絡防止用のヒューズを備えたものであり、前記破損状態は、前記ヒューズが切れた状態であってもよい。
このような構成により、避雷器における短絡防止用のヒューズが破損した場合に、そのことを音によって報知することができる。
【０００８】
また、本考案による避雷器破損報知装置では、前記検知部は、発光素子と、受光素子とを有するフォトカプラを有しており、前記受光素子は、前記ヒューズが切れていないときには発光し、前記ヒューズが切れているときには発光しないものであり、前記受光素子が導通しなくなることによって、前記避雷器における破損状態を検知してもよい。
このような構成により、避雷器における破損状態の適切な検知が可能となる。
【０００９】
本考案による避雷器システムは、前記避雷器破損報知装置と、前記避雷器と、を備えたものである。
【考案の効果】
【００１０】
本考案による避雷器破損報知装置等によれば、避雷器の破損を容易に報知することができる。その結果、破損した避雷器を使い続ける事態を回避することができ、雷害の適切な防止を行うことができるようになる。
【考案を実施するための最良の形態】
【００１１】
以下、本考案による避雷器破損報知装置、避雷器システムについて、実施の形態を用いて説明する。なお、以下の実施の形態において、同じ符号を付した構成要素は同一または相当するものであり、再度の説明を省略することがある。
【００１２】
（実施の形態１）
本考案の実施の形態１による避雷器破損報知装置、避雷器システムについて、図面を参照しながら説明する。
図１は、本実施の形態による避雷器システム１０を示す図である。図１において、本実施の形態による避雷器システム１０は、避雷器破損報知装置１と、避雷器２と、ブレーカ３と、ＡＣアダプタ４とを備える。
【００１３】
避雷器２は、電源用のものである。したがって、電源線に生じた誘導雷を適切に吸収することができるものである。この電源は通常、交流電源である。また、この電源は、例えば、機械制御装置やその他の電気機器の電源である。ブレーカ３は、避雷器２の点検の際に、避雷器を電源線から切り離すために設けられているものである。本実施の形態では、このブレーカ３はオンになっているとして説明する。この避雷器２は、通常は電流が流れず、誘導雷などに起因する高電圧が発生した場合に電流が流れて、その高電圧を吸収することになる。また、本実施の形態では、この避雷器２が短絡防止用のヒューズを備えている場合について説明する。このヒューズは、例えば、避雷器２におけるサージ防護素子（サージアブソーバ）が短絡したような場合に、避雷器２に電流が流れ続けるのを防止するために切れるものである。また、ＡＣアダプタ４によって、避雷器破損報知装置１への電源が供給されることになる。
【００１４】
図２は、本実施の形態による避雷器破損報知装置１の構成を示すブロック図である。本実施の形態による避雷器破損報知装置１は、検知部５と、音出力部６とを備える。
検知部５は、電源用の避雷器２における破損状態を検知する。この破損状態は、通常、避雷器２における短絡防止用のヒューズの破損、すなわち、そのヒューズが切れた状態のことである。その場合には、サージ防護素子に高電圧が印加されなくなるため、適切な雷害の防止ができなくなる。したがって、そのような避雷器２の不適切な状態を検知部５によって検知することになる。
【００１５】
音出力部６は、検知部５が避雷器２における破損状態を検知した場合に、その破損状態を報知する音を出力する。この音出力は、どのようなものであってもよい。例えば、ブザーによる音出力であってもよい。また、音出力部６は、音信号生成手段と、その音信号生成手段が生成した音信号を音声出力するスピーカとから構成されてもよい。なお、音出力部６が出力する音は、避雷器２の破損状態を警告するためのものであるため、できるだけ聞き取られやすい音色、ボリュームであることが好適である。
【００１６】
図３は、単相２線式の電源に対する避雷器２と、避雷器破損報知装置１との具体的な構成の一例を示す回路図である。
図３において、避雷器２は、ヒューズ２１，２２と、サージ防護素子（ＳＰＤ）２３，２４とを備えている。サージ防護素子２３，２４は、例えば、上記特許文献に記載されているものであってもよく、あるいは、その他のギャップ型のサージ防護素子であってもよい。
【００１７】
避雷器破損報知装置１は、抵抗１１，１５，１８と、ダイオード１２と、タンタルコンデンサ１３と、フォトカプラ１４と、スイッチ１６と、トランジスタ１７と、ブザー１９とを備える。ブザー１９が音出力部６に対応し、その他の構成が検知部５に対応すると考えることができる。なお、抵抗１８やスイッチ１６などのブザー１９に近い構成が音出力部６に含まれると考えてもよい。
【００１８】
ヒューズ２１，２２が切れていない状態では、ダイオード１２によって整流され、タンタルコンデンサ１３によって平滑化された直流電流によって、フォトカプラ１４の発光素子（例えば、発光ダイオードであってもよい）が発光し、その光がフォトカプラ１４の受光素子（例えば、フォトトランジスタであってもよい）によって受光され、その受光素子が導通することになる。その結果、ブザー１９には電流が流れないことになり、ブザー１９は鳴らないことになる。
【００１９】
一方、ヒューズ２１，２２の少なくとも一方が切れている状態では、フォトカプラ１４の発光素子に電流が流れないことになり、フォトカプラ１４の受光素子が導通しないことになる。その結果、ブザー１９に電流が流れることになり、ブザー１９が鳴ることによって、避雷器２の破損状態、すなわち、避雷器２のヒューズ２１，２２の少なくとも一方が切れている状態が報知されることになる。そのブザー１９の音を聞いたユーザは、避雷器２のヒューズ２１，２２の少なくとも一方が切れていることを知ることができ、その切れているヒューズを交換することによって、避雷器２を直すことができる。
【００２０】
このように、フォトカプラ１４の受光素子は、ヒューズ２１，２２の両方が切れていないときには発光し、ヒューズ２１，２２の少なくとも一方が切れているときには発光しないことになる。そして、ヒューズ２１，２２の少なくとも一方が切れているときに、フォトカプラ１４の受光素子が光を受光せず、導通しなくなることによって、避雷器２における破損状態を検知することができるようになる。
【００２１】
なお、このようにフォトカプラ１４によって避雷器２の側と、音出力部６（ブザー１９）の側とが電気的に絶縁（遮断）されていることになる。したがって、避雷器２においてサージの吸収が行われた場合であっても、音出力部６の側に高電圧が印加されることがない。そのため、避雷器２におけるサージ吸収時に音出力部６が破損しないようにすることができる。なお、避雷器２の側と、音出力部６（ブザー１９）の側とが電気的に絶縁されるためには、ＡＣアダプタ４も、ＡＣ側とＤＣ側とにおいて、電気的に遮断されているタイプのものを用いることが好適である。また、ＡＣアダプタ４に代えて、電池で動作させることによって、避雷器２の側と、音出力部６（ブザー１９）の側を電気的に遮断することもできる。
【００２２】
スイッチ１６は、ブザー１９のテスト用のものである。通常は、スイッチ１６を図３で示される側にしておけばよいが、ブザー１９のテストの際には、スイッチ１６を図３と反対側にすることによって、ブザー１９に電流を流すことができ、ブザー１９が鳴るかどうかを確認することができる。
【００２３】
また、避雷器破損報知装置１が図３で示される回路である場合に、ブレーカ３をオフにすると、避雷器２の側での電圧の減衰の方が、ブザー１９の側での電圧の減衰よりも早い。したがって、ブレーカ３をオフにした直後に、ブザー１９が一瞬、鳴ることになる。このようにしても、ブザー１９が正常に動作するかどうかを確認することもできる。
【００２４】
図３では、単相２線式の電源の場合について説明したが、３相３線式の場合には、図４で示される回路にしてもよい。なお、図４において、避雷器２は、ヒューズ２５と、サージ防護素子２６とをさらに備えている。また、避雷器破損報知装置１は、抵抗３１と、ダイオード３２と、タンタルコンデンサ３３とを備えている。また、避雷器破損報知装置１は、フォトカプラ１４に代えて、発光素子と受光素子とを２個ずつ有するフォトカプラ３４を備えている。この場合にも、ヒューズ２１，２２，２５のいずれかひとつが切れている場合には、ブザー１９が鳴ることによって、その破損状態が報知されることになる。なお、フォトカプラ３４において、上側の発光素子の発光した光は上側の受光素子で受光され、下側の発光素子の発光した光は下側の受光素子で受光されるものとする。
【００２５】
なお、本実施の形態では、避雷器破損報知装置１が図３，図４で示される回路である場合について説明したが、本考案の効果を奏する範囲において、それ以外の回路構成であってもよいことは言うまでもない。
【００２６】
以上のように、本実施の形態による避雷器破損報知装置１、避雷器システム１０によれば、避雷器２の破損を音で報知することができるため、ユーザは、避雷器２が破損したことを容易に認識することができる。その結果、破損した避雷器２を使い続ける事態を回避することができ、雷害の適切な防止を行うことができるようになる。
【００２７】
なお、図１では、避雷器システム１０がブレーカ３を備える構成について説明したが、避雷器システム１０は、ブレーカ３を備えていなくてもよい。また、前述のように、避雷器破損報知装置１を電池で動作させる場合には、避雷器システム１０は、ＡＣアダプタ４を備えていなくてもよい。また、避雷器２は、電源用のものであることが好適であるが、通信用のものであってもよい。通信用の避雷器２とは、例えば、ＬＡＮやＷＡＮなどの通信回線において、通信線を伝わる高電圧を吸収するために用いられるものである。また、防塵のために、避雷器破損報知装置１や、避雷器システム１０を封止ケースによって封止するようにしてもよい。そのように封止した場合であっても、音出力部６が出力する音が適切に聞こえるように、音出力部６のブザーやスピーカなどは、その封止ケースの外側に設けられることが好適である。
【００２８】
また、本考案は、以上の実施の形態に限定されることなく、種々の変更が可能であり、それらも本考案の範囲内に包含されるものであることは言うまでもない。
【産業上の利用可能性】
【００２９】
以上より、本考案による避雷器破損報知装置等によれば、避雷器の破損を容易に報知することができ、避雷器の破損状態を報知する装置等として有用である。
【図面の簡単な説明】
【００３０】
【図１】本考案の実施の形態１による避雷器システムの構成を示す図
【図２】同実施の形態による避雷器破損報知装置の構成を示すブロック図
【図３】同実施の形態による避雷器、避雷器破損報知装置の回路の一例を示す図
【図４】同実施の形態による避雷器、避雷器破損報知装置の回路の一例を示す図
【符号の説明】
【００３１】
１  避雷器破損報知装置
２  避雷器
３  ブレーカ
４  ＡＣアダプタ
５  検知部
６  音出力部
１０  避雷器システム
１１、１５、１８、３１  抵抗
１２、３２  ダイオード
１３、３３  タンタルコンデンサ
１４、３４  フォトカプラ
１６  スイッチ
１７  トランジスタ
１９  ブザー
２１、２２、２５  ヒューズ
２３、２４、２６  サージ防護素子
【図１】
0003147886.tif 000003
【図２】
0003147886.tif 000004
【図３】
0003147886.tif 000005
【図４】
0003147886.tif 000006